(57)【特許請求の範囲】
【請求項１】
所定間隔を空けて複数枚のガラスを配置した複層ガラスの端部に框を設けた複層ガラス障子を用いたサッシであって、
前記框は、
前記複数枚のガラスのうち最も室内側の室内側ガラスおよび室外側の室外側ガラスの端部を収納する方向に開放した断面凹形状の室内側ガラス収納部および室外側ガラス収納部を有すると共に、その室内側ガラス収納部と室外側ガラス収納部との間にそれらと逆方向に開放した断面凹形状の部品収納部を有し、
前記複数のガラスは、前記室内側ガラスと、前記室外側ガラスと、前記室内側ガラスと室外側ガラスとの間の中間ガラスとからなり、
前記室内側ガラスおよび室外側ガラスの上端部と下端部とは、それぞれ、前記中間ガラスの上端部および下端部よりも突出していて、それらの突出した部分にはそれぞれゴム等から形成されたガスケットが装着されており、
前記ガスケットは、
前記室内側ガラスおよび室外側ガラスを前記框に嵌め込むと共に、高さの高い外側起立部と、前記室内側ガラスおよび室外側ガラスの下端部または上端部が当接する端部当接部と、前記外側起立部よりも高さが低い内側起立部とを備え、
前記内側起立部の内側面には前記室内側ガラスおよび室外側ガラスに対し弾接するように断面が波形状の波形状部を設ける一方、前記外側起立部の内側面は前記室内側ガラスおよび室外側ガラスに対し面一で接触するように平面で構成され、
前記室内側ガラスおよび室外側ガラスの上端部と下端部とは、それぞれ、前記ガスケットを介して前記框の前記室内側ガラス収納部と前記室外側ガラス収納部とに収納され、
前記框は、前記複層ガラスの上下の端部にそれぞれ設けた上框と下框であり、
前記複層ガラス障子の前記上框と前記下框とがそれぞれ建て込まれる前記上枠と前記下枠の室内側および室外側のいずれかには、それぞれ、前記上框または前記下框が水平方向から見た際に隠れるように前記上框と前記下框の先端まで延びた内壁部または外壁部を設け、前記内壁部または外壁部先端と前記上框または前記下框先端とは高さが同一で、前記内壁部または外壁部に前記上框または前記下框に摺接するように設けた気密材を介し隙間無く面一に構成されていることを特徴とする複層ガラス障子を用いたサッシ。
【請求項２】
請求項１記載の複層ガラス障子を用いたサッシにおいて、
前記上框は、
前記複数枚のガラスのうち最も室内側の室内側ガラスおよび室外側の室外側ガラスの上端部を収納する下部開放で断面凹形状の室内側ガラス収納部および室外側ガラス収納部を有すると共に、その室内側ガラス収納部と室外側ガラス収納部との間に上部開放で断面凹形状の部品収納部を有する一方、
前記下框は、
前記室内側ガラスおよび室外側ガラスの下端部を収納する上部開放で断面凹形状の室内側ガラス収納部および室外側ガラス収納部を有すると共に、その室内側ガラス収納部と室外側ガラス収納部との間に下部開放で断面凹形状の部品収納部を有することを特徴とする複層ガラス障子を用いたサッシ。
【請求項３】
請求項１または請求項２記載の複層ガラス障子を用いたサッシにおいて、
前記ガスケットにおける前記内側起立部の外側面には、上下方向に所定間隔で複数の舌片部が設けられていることを特徴とする複層ガラス障子を用いたサッシ。
【請求項４】
請求項１〜請求項３のいずれか一の請求項に記載の複層ガラス障子を用いたサッシにおいて、
前記框における前記室内側ガラス収納部の室内側の起立壁を構成する室内側起立壁部の先端部と、前記室外側ガラス収納部の室外側の起立壁を構成する室外側起立壁部の先端部とには、それぞれ、室外側または室内側に向かって突出した断面形状が長方形状の凸条部が設けられており、
前記ガスケットにおける前記外側起立部の先端部には、当該ガスケットが上下方向にズレないよう前記框の室外側起立壁部または室内側起立壁部の凸条部が密に嵌る断面形状がコ字形状の凹条部が設けられおり、
前記室内側ガラスおよび室外側ガラスの上端部と下端部とを、それぞれ、前記ガスケットを介して前記框の前記室内側ガラス収納部と前記室外側ガラス収納部とに収納して前記室内側ガラスおよび室外側ガラスの上端部と下端部とが前記ガスケットの端部当接部に当接した際、前記凸条部が前記凹部に密に嵌るように構成されていることを特徴とする複層ガラス障子を用いたサッシ。
【発明の詳細な説明】
【技術分野】
【０００１】
本発明は、複数枚のガラスを離間して配置した複層ガラス障子およびそれを用いたサッシに関する。
【背景技術】
【０００２】
最近の住宅では、断熱性と結露防止性を向上させて省エネルギー効果を高めるため、複数枚のガラスを離間して配置した複層（多重）ガラス障子が採用されている（例えば、特許文献１，２参照。）。
【０００３】
このような複層ガラス障子では、複数のガラスを複層している複層ガラスの部分は框に比べ断熱性に優れるので、框の見付け寸法を細くして複層ガラスの表面積を大きくすることにより、断熱性および採光性の向上を図ると共に、意匠性の向上を図っている。
【先行技術文献】
【特許文献】
【０００４】
【特許文献１】特開２０１１−２０２３６０号公報
【特許文献２】実開平５１−１３６６３９号公報
【発明の概要】
【発明が解決しようとする課題】
【０００５】
しかしながら、上述の特許文献１に記載の複層ガラス障子は、縦框が縦枠カバーに室内側正面視で略隠蔽され、また、框の見付けを細く（小さく）形成して断熱性能を向上させているものの、上下の框は、複層ガラスの上方または下方で戸車等の部品を納めているため、框の見付け寸法が太く（大きく）なっており、さらなる断熱性能等向上の余地がある。
【０００６】
また、上述の特許文献２に記載の複層ガラス障子は、下框の見付け寸法を小さくする為に戸車を室内側（図面の右側）に、複層ガラスを室外側（図面の左側）にそれぞれ配置しているため、重量バランスが悪く、複層ガラス障子が室外側に傾く傾向があり、障子の走行性が悪くなる虞がある。特に、断熱性能等を向上させる為に３枚以上のガラスを複層させた場合、複層ガラス障子の重量が増すので、複層ガラス障子の傾きが更に大きくなり、複層ガラス障子の走行に悪影響を与える虞がある。
【０００７】
そこで、本発明はこのような課題に着目してなされたもので、複数枚のガラスを配置した複層ガラスの端部に設けた框の見付け寸法を小さくできると共に、室内側または室外側に傾くことなく走行することができる複層ガラス障子およびそれを用いたサッシを提供することを目的とする。
【課題を解決するための手段】
【０００８】
前記課題を解決するため、本発明に係る複層ガラス障子を用いたサッシの第１の特徴は、
所定間隔を空けて複数枚のガラスを配置した複層ガラスの端部に框を設けた複層ガラス障子を用いたサッシであって、前記框は、前記複数枚のガラスのうち最も室内側の室内側ガラスおよび室外側の室外側ガラスの端部を収納する方向に開放した断面凹形状の室内側ガラス収納部および室外側ガラス収納部を有すると共に、その室内側ガラス収納部と室外側ガラス収納部との間にそれらと逆方向に開放した断面凹形状の部品収納部を有し、前記複数のガラスは、前記室内側ガラスと、前記室外側ガラスと、前記室内側ガラスと室外側ガラスとの間の中間ガラスとからなり、前記室内側ガラスおよび室外側ガラスの上端部と下端部とは、それぞれ、前記中間ガラスの上端部および下端部よりも突出していて、それらの突出した部分にはそれぞれゴム等から形成されたガスケットが装着されており、前記ガスケットは、前記室内側ガラスおよび室外側ガラスを前記框に嵌め込むと共に、高さの高い外側起立部と、前記室内側ガラスおよび室外側ガラスの下端部または上端部が当接する端部当接部と、前記外側起立部よりも高さが低い内側起立部とを備え、前記内側起立部の内側面には前記室内側ガラスおよび室外側ガラスに対し弾接するように断面が波形状の波形状部を設ける一方、前記外側起立部の内側面は前記室内側ガラスおよび室外側ガラスに対し面一で接触するように平面で構成され、前記室内側ガラスおよび室外側ガラスの上端部と下端部とは、それぞれ、前記ガスケットを介して前記框の前記室内側ガラス収納部と前記室外側ガラス収納部とに収納され、前記框は、前記複層ガラスの上下の端部にそれぞれ設けた上框と下框であり、前記複層ガラス障子の前記上框と前記下框とがそれぞれ建て込まれる前記上枠と前記下枠の室内側および室外側のいずれかには、それぞれ、前記上框または前記下框が水平方向から見た際に隠れるように前記上框と前記下框の先端まで延びた内壁部または外壁部を設け、前記内壁部または外壁部先端と前記上框または前記下框先端とは高さが同一で、前記内壁部または外壁部に前記上框または前記下框に摺接するように設けた気密材を介し隙間無く面一に構成されていることである。
また、本発明に係る複層ガラス障子を用いたサッシの第２の特徴は、前記上框は、前記複数枚のガラスのうち最も室内側の室内側ガラスおよび室外側の室外側ガラスの上端部を収納する下部開放で断面凹形状の室内側ガラス収納部および室外側ガラス収納部を有すると共に、その室内側ガラス収納部と室外側ガラス収納部との間に上部開放で断面凹形状の部品収納部を有する一方、前記下框は、前記室内側ガラスおよび室外側ガラスの下端部を収納する上部開放で断面凹形状の室内側ガラス収納部および室外側ガラス収納部を有すると共に、その室内側ガラス収納部と室外側ガラス収納部との間に下部開放で断面凹形状の部品収納部を有することである。
また、本発明に係る複層ガラス障子を用いたサッシの第３の特徴は、前記ガスケットにおける前記内側起立部の外側面には、上下方向に所定間隔で複数の舌片部が設けられていることである。
また、本発明に係る複層ガラス障子を用いたサッシの第４の特徴は、前記框における前記室内側ガラス収納部の室内側の起立壁を構成する室内側起立壁部の先端部と、前記室外側ガラス収納部の室外側の起立壁を構成する室外側起立壁部の先端部とには、それぞれ、室外側または室内側に向かって突出した断面形状が長方形状の凸条部が設けられており、前記ガスケットにおける前記外側起立部の先端部には、当該ガスケットが上下方向にズレないよう前記框の室外側起立壁部または室内側起立壁部の凸条部が密に嵌る断面形状がコ字形状の凹条部が設けられおり、前記室内側ガラスおよび室外側ガラスの上端部と下端部とを、それぞれ、前記ガスケットを介して前記框の前記室内側ガラス収納部と前記室外側ガラス収納部とに収納して前記室内側ガラスおよび室外側ガラスの上端部と下端部とが前記ガスケットの端部当接部に当接した際、前記凸条部が前記凹部に密に嵌るように構成されていることである。
【発明の効果】
【０００９】
本発明に係る複層ガラス障子を用いたサッシの第１の特徴によれば、複数枚のガラスを配置した複層ガラスの端部に設けた框は、室内側ガラスおよび室外側ガラスの端部を収納する方向に開放した断面凹形状の室内側ガラス収納部および室外側ガラス収納部を有すると共に、その室内側ガラス収納部と室外側ガラス収納部との間にそれらと逆方向に開放した断面凹形状の部品収納部を有するため、框の見付け寸法を小さくできると共に、室内側または室外側に傾くことなく走行することができる。また、複数のガラスは、室内側ガラスと室外側ガラスと室内側ガラスと室外側ガラスとの間の中間ガラスとからなり、室内側ガラスおよび室外側ガラスの上端部と下端部とは、それぞれ、中間ガラスの上端部および下端部よりも突出していて、それらの突出した部分にはそれぞれゴム等から形成されたガスケットを装着しており、ガスケットは、室内側ガラスおよび室外側ガラスを框に嵌め込むと共に、高さの高い外側起立部と、室内側ガラスおよび室外側ガラスの下端部または上端部が当接する端部当接部と、外側起立部よりも高さが低い内側起立部とを備え、ガスケットの内側起立部の内側面に設けられた断面波形状の波形状部が室内側ガラスおよび室外側ガラスに対し弾接して、室内側ガラスおよび室外側ガラスをそれぞれ面一の平面で構成された外側起立部の内側面に押し付けるので、室内側ガラスおよび室外側ガラスとガスケットとの間の気密・水密性性能を向上させることができる。また、複層ガラス障子の上框と下框とがそれぞれ建て込まれる上枠と下枠の室内側および室外側のいずれかには、それぞれ、上框または下框が水平方向から見た際に隠れるように上框と下框の先端まで延びた内壁部または外壁部を設け、内壁部または外壁部先端と上框または下框先端とは高さが同一で、内壁部または外壁部に上框または下框に摺接するように設けた気密材を介し隙間無く面一に構成したため、室内側または室外側から下框や上框が見え難くなり、サッシ全体としての意匠性も向上させることができる。
本発明の複層ガラス障子およびそれを用いたサッシを用いたサッシの第２の特徴によれば、上框と下框は、それぞれ、断面凹形状の室内側ガラス収納部および室外側ガラス収納部を有すると共に、その室内側ガラス収納部と室外側ガラス収納部との間にそれらと逆方向に開放した断面凹形状の部品収納部を有し、室内側ガラス収納部と室外側ガラス収納部にはそれぞれ室内側ガラスと室外側ガラスの上端部と下端部と収納する一方、部品収納部にはそれぞれ振れ止めや戸車等の部品を収納するように構成したため、上下框の見付け寸法を小さくでき、断熱性能を向上させることができると共に、デザイン性を向上させることができる。また、振れ止めや戸車等の部品は室内側ガラスと室外側ガラスとの間に収納されることになるので、複層ガラス障子を室外側または室内側に傾けることなくバランス良く走行させることができる。
また、本発明の複層ガラス障子およびそれを用いたサッシを用いたサッシの第３の特徴によれば、ガスケットにおける内側起立部の外側面には、上下方向に所定間隔で複数の舌片部が設けられているため、気密・水密性性能をより向上させることができる。
また、本発明に係る複層ガラス障子を用いたサッシの第４の特徴によれば、框における室内側ガラス収納部の室内側の起立壁を構成する室内側起立壁部の先端部と、室外側ガラス収納部の室外側の起立壁を構成する室外側起立壁部の先端部とには、それぞれ、室外側または室内側に向かって突出した断面形状が長方形状の凸条部が設けられており、ガスケットにおける外側起立部の先端部には、当該ガスケットが上下方向にズレないよう框の室外側起立壁部または室内側起立壁部の凸条部が密に嵌る断面形状がコ字形状の凹条部が設けられおり、室内側ガラスおよび室外側ガラスの上端部と下端部とを、それぞれ、ガスケットを介して框の室内側ガラス収納部と室外側ガラス収納部とに収納して室内側ガラスおよび室外側ガラスの上端部と下端部とがガスケットの端部当接部に当接した際、凸条部が凹部に密に嵌るように構成したため、ガスケットと框との間の気密・水密性能が向上し、障子全体の気密・水密性能をさらに向上させることができる。
【図面の簡単な説明】
【００１０】
【図１】本発明に係る実施形態１の複層ガラス障子およびそれを用いたサッシの内観を示す正面図である。
【図２】図１におけるＡ部分の部分切欠拡大正面図である。
【図３】図１におけるＢ−Ｂ線部分断面図である。
【図４】実施形態１の複層ガラス障子を構成する上框の斜視図である。
【図５】図１におけるＣ−Ｃ線部分断面図である。
【図６】実施形態１の複層ガラス障子を構成する下框の斜視図である。
【図７】実施形態１の複層ガラス障子を用いた引き違い戸構造のサッシにおいて一方の複層ガラス障子を開けた状態を示す正面図である。
【図８】図７におけるＤ−Ｄ線断面図である。
【図９】実施形態１の複層ガラス障子を用いた引き違い戸構造のサッシにおける下框および下枠部分の斜視図（戸車は省略。）である。
【図１０】（ａ），（ｂ）それぞれ実施形態１の複層ガラス障子の室内側ガラスと室外側ガラスの下端部および上端部に装着するガスケット（グレージングチャンネル）の斜視図である。
【図１１】実施形態１の複層ガラス障子における下框側の分解断面図である。
【図１２】実施形態１の複層ガラス障子の上框の部品収納部に取付ける振れ止めの斜視図である。
【図１３】実施形態２の複層ガラス障子を構成する下框の斜視図である。
【図１４】実施形態２の複層ガラス障子における下框を含む下端部の断面図である。
【図１５】実施形態２の下框を下枠に建て込んだ部分断面図である。
【発明を実施するための形態】
【００１１】
以下、本発明に係る複層ガラス障子およびそれを用いたサッシの実施形態１，２について、図面を参照して説明する。尚、以下に説明する実施形態１，２はあくまで本発明の一具体例であり、本発明が下記に説明する実施形態１，２に限定されるものではなく、本発明の技術的思想の範囲内で適宜変更可能である。
【００１２】
実施形態１．
実施形態１の複層ガラス障子１は、図１および図２に示すように、所定間隔を空けて複数枚（ここでは、例えば、３枚とするが、本発明では、３枚に限定されるものではない。）のガラス１ａ〜１ｃ（複層ガラス）の上下の端部にそれぞれ上框２と下框３とを備えると共に、左右の端部には縦框（戸先框、召合框）４，４を備えて構成されている。尚、図１において、５は複層ガラス障子１の上框２が建て込まれる上枠、６は複層ガラス障子１の下框３が建て込まれる下枠、７は左右の縦枠であり、複層ガラス障子１と、これら上枠５と下枠６と左右の縦枠７，７によって実施形態１のサッシ１０を構成している。
【００１３】
複数のガラス１ａ〜１ｃは、図３や図５、図８等に示すように、室内側ガラス１ａと、室外側ガラス１ｃと、室内側ガラス１ａと室外側ガラス１ｃとの間の中間ガラス１ｂとからなり、室内側ガラス１ａと中間ガラス１ｂと室外側ガラス１ｃとの間には、それぞれ、スペーサー８ａと封着シール８ｂとを設け、複数のガラス１ａ〜１ｃ間で所定の間隔と密閉状態を保持している。
【００１４】
室内側ガラス１ａおよび室外側ガラス１ｃは、図３や図５、図８等に示すように、中間ガラス１ｂよりも上下方向の長さが長いガラスを使用しており、室内側ガラス１ａおよび室外側ガラス１ｃの上端部と下端部がそれぞれ中間ガラス１ｂの上端部と下端部よりも突出するように構成しており、それらの突出した部分にはそれぞれ後述する図１０（ａ），（ｂ）に示すようなガスケット（グレージングチャンネル）９を装着している。
【００１５】
上框２は、図３や図４等に示すように、長尺でアルミや樹脂等の軽量部材から形成されており、室内側起立壁部２１と、室内側天板部２２と、第１中間起立壁部２３と、中間天板部２４と、第２中間起立壁部２５と、室外側天板部２６と、室外側起立壁部２７とを有し、室内側起立壁部２１と室外側起立壁部２７の先端部（下端部）には、それぞれ、ガスケット９の凹条部９１ａ（図１０（ａ），（ｂ）参照。）に嵌る凸条部２１ａ，２７ａが設けられている。
【００１６】
そして、上框２は、室内側起立壁部２１と室内側天板部２２と第１中間起立壁部２３とで囲まれ、室内側ガラス１ａを収納する下部開放で断面凹形状の室内側ガラス収納部２ａと、第２中間起立壁部２５と室外側天板部２６と室外側起立壁部２７とで囲まれ、室外側ガラス１ｃの上端部を収納する下部開放で断面凹形状の室外側ガラス収納部２ｃを有する。
【００１７】
また、上框２は、室内側ガラス収納部２ａと室外側ガラス収納部２ｃとの間に、第１中間起立壁部２３と中間天板部２４と第２中間起立壁部２５とで囲まれた上部開放で断面凹形状の部品収納部２ｂを有する。
【００１８】
同様に、下框３は、図５や図６、図８、図９等に示すように、長尺でアルミや樹脂等の軽量部材から形成されており、上框２を反転させた形状で構成されている。つまり、下框３は、図６に示すように、室内側起立壁部３１と、室内側底板部３２と、第１中間起立壁部３３と、中間底板部３４と、第２中間起立壁部３５と、室外側底板部３６と、室外側起立壁部３７とを有し、室内側起立壁部３１と室外側起立壁部３７の先端部（上端部）には、それぞれ、ガスケット９の凹条部９１ａ（図１０（ａ），（ｂ）参照。）に嵌る凸条部３１ａ，３７ａが設けられている。
【００１９】
そして、下框３は、室内側起立壁部３１と室内側底板部３２と第１中間起立壁部３３とで囲まれ、室内側ガラス１ａを収納する上部開放で断面凹形状の室内側ガラス収納部３ａと、第２中間起立壁部３５と室外側底板部３６と室外側起立壁部３７とで囲まれ、室外側ガラス１ｃの下端部を収納する上部開放で断面凹形状の室外側ガラス収納部３ｃを有する。
【００２０】
また、室内側ガラス収納部３ａと室外側ガラス収納部３ｃとの間には、第１中間起立壁部３３と中間底板部３４と第２中間起立壁部３５とで囲まれた下部開放で断面凹形状の部品収納部３ｂを有する。また下框３の場合、室内側ガラス収納部３ａと室外側ガラス収納部３ｃとに、後述するガスケット９の端部当接部９２を介して室内側ガラス１ａおよび室外側ガラス１ｃの下端部を支持するセッティングブロック８ｆ，８ｆが貼り付けられると共に、部品収納部３ｂの反対側側面に、中間ガラス１ｂの下端部を支持するライナー８ｃが貼り付けられている。
【００２１】
ガスケット９は、図１０（ａ），（ｂ）等に示すように、室内側ガラス１ａおよび室外側ガラス１ｃとを上框２と下框３に嵌め込むと共に、気密・水密性能を保持するもので、ゴム等から形成されており、高さの高い外側起立部９１と、室内側ガラス１ａおよび室外側ガラス１ｃの下端部または上端部が当接する端部当接部９２と、外側起立部９１よりも高さが低い内側起立部９３とから構成されている。
【００２２】
また、このガスケット９の外側起立部９１の上部には、図１０（ａ），（ｂ）等に示すように、上框２の室内側起立壁部２１の凸条部２１ａおよび室外側起立壁部２７の凸条部２７ａ、下框３の室内側起立壁部３１の凸条部３１ａおよび室外側起立壁部３７の凸条部３７ａが嵌る凹条部９１ａが設けられている。
【００２３】
さらに、ガスケット９の内側起立部９３の外側面には、図１０（ａ），（ｂ）等に示すように、上下方向に所定間隔で複数の舌片部９３ａを設ける一方、内側には室内側ガラス１ａおよび室外側ガラス１ｃに対し弾接する断面が波形状（ギザギザ形状）の波形状部９３ｂを設けている。
【００２４】
次に、以上のように構成された実施形態１の複層ガラス障子の組付けについて簡単に説明する。
【００２５】
図１１は、実施形態１の複層ガラス障子１における下框３側の分解断面図である。
【００２６】
図１１に示すように、以上のように構成されたスペーサー８ａと封着シール８ｂとにより離間して設けられた３枚のガラス１ａ〜１ｃからなる複層ガラスの室内側ガラス１ａと室外側ガラス１ｃの下端部にそれぞれガスケット９を装着し、下框３の室内側ガラス収納部３ａと室外側ガラス収納部３ｃとに嵌め込み、ガスケット９の端部当接部９２，９２をセッティングブロック８ｆ，８ｆに、中間ガラス１ｂをライナー８ｃにそれぞれ当接させる。尚、下框３の部品収納部３ｂには、戸車８ｄが予め取付けられている。
【００２７】
同様に、実施形態１の複層ガラス障子１における上框２側は、図示はしないが、図１１に示す下框３側の組付けと同様に、室内側ガラス１ａと室外側ガラス１ｃの上端部にそれぞれガスケット９を装着して、上框２の室内側ガラス収納部２ａと、室外側ガラス収納部２ｃとに嵌め込む。尚、上框２の部品収納部２ｂには、図１２に示すような切断形状がＵ字状の振れ止め８ｅが予め取付けられている。また、図１や図７等に示すように複層ガラスの左右には縦框４，４を嵌め込む。これで、実施形態１の複層ガラス障子１が完成する。
【００２８】
そして以上のように完成した複層ガラス障子１は、図１や図３、図５、図７、図８等に示すように、上框２は上枠５に建て込まれる一方、下框３は下枠６に建て込まれて実施形態１のサッシ１０が完成する。
【００２９】
ここで、実施形態１のサッシ１０では、図１や図７、図８等に示すように、引き違い戸を構成する２枚の複層ガラス障子１が走行するように構成されている。
【００３０】
つまり、図８等に示すように、実施形態１のサッシ１０を構成する上枠５は、外障子および内障子である２枚の複層ガラス障子１が走行するように、その走行方向に延びる天井板部５１と、その天井板部５１から下方に垂直に伸びた内壁部５２および外壁部５３と、その内壁部５２と外壁部５３との間に２枚の複層ガラス障子１がそれぞれ走行する内側レーン５ａと外側レーン５ｂとを仕切る仕切り壁部５４とを有する。
【００３１】
また、内壁部５２と仕切り壁部５４との間、および外壁部５３と仕切り壁部５４との間には、それぞれ、内ガイド片５５、外ガイド片５６を設けており、内ガイド片５５には、内側レーン５ａを走行する複層ガラス障子１の上框２の部品収納部２ｂに取付けられた振れ止め８ｅの凹部８ｅ１（図１２参照。）が建て込まれる一方、外ガイド片５６には、外側レーン５ｂを走行する複層ガラス障子１の上框２の部品収納部２ｂに取付けられた振れ止め８ｅの凹部８ｅ１（図１２参照。）が建て込まれる。
【００３２】
尚、上枠５の内壁部５２の下端部の内側レーン５ａ側には、内側レーン５ａを走行する複層ガラス障子１の上框２に摺接する気密ゴム５７が取付けられる一方、上枠５の仕切り壁部５４の下端部の外側レーン５ｂ側にも、外側レーン５ｂを走行する複層ガラス障子１の上框２に摺接する気密ゴム５８が取付けられる。
【００３３】
同様に、下枠６は、図８等に示すように、外障子および内障子である２枚の複層ガラス障子１が走行するように、その走行方向に延びる底板部６１と、その底板部６１から上方に垂直に伸びて立設された内壁部６２および外壁部６３と、その内壁部６２と外壁部６３との間に２枚の複層ガラス障子１がそれぞれ走行する内側レーン６ａと外側レーン６ｂとを仕切る仕切り壁部６４とを有する。
【００３４】
そして、内壁部６２と仕切り壁部６４との間、および外壁部６３と仕切り壁部６４との間には、それぞれ、内レール６５、外レール６６が設けられており、内レール６５には、内側レーン６ａを走行する複層ガラス障子１の下框３の部品収納部３ｂに取付けられた戸車８ｄが建て込まれる一方、外レール６６には、外側レーン６ｂを走行する複層ガラス障子１の下框３の部品収納部３ｂに取付けられた戸車８ｄが建て込まれることになる。
【００３５】
尚、上枠５と同様に、下枠６の内壁部６２の上端部の内側レーン６ａ側には、内側レーン６ａを走行する複層ガラス障子１の下框３に摺接する気密ゴム６７が取付けられる一方、下枠６の仕切り壁部６４の上端部の外側レーン６ｂ側には、外側レーン６ｂを走行する複層ガラス障子１の下框３に摺接する気密ゴム６８が取付けられる。
【００３６】
以上のように実施形態１の複層ガラス障子１およびサッシ１０によれば、上框２と下框３は、それぞれ、断面凹形状の室内側ガラス収納部２ａ，３ａおよび室外側ガラス収納部２ｃ，３ｃを有すると共に、その室内側ガラス収納部２ａ，３ａと室外側ガラス収納部２ｃ，３ｃとの間にそれらと逆方向に開放した断面凹形状の部品収納部２ｂ，３ｂを有し、室内側ガラス収納部２ａ，３ａと室外側ガラス収納部２ｃ，３ｃにはそれぞれ室内側ガラス１ａと室外側ガラス１ｃの上端部と下端部と収納する一方、部品収納部２ｂ，３ｂにはそれぞれ振れ止め８ｅや戸車８ｄ等の部品を収納するように構成したため、上框２と下框３の見付け寸法を小さくすることができる。
【００３７】
その結果、上框２と下框３の表面積が小さくなるので熱損失を少なくすることができ、断熱性能が向上すると共に、実施形態１の複層ガラス障子１の意匠性が向上する。
【００３８】
また、この複層ガラス障子１およびサッシ１０では、室内側ガラス１ａと室外側ガラス１ｃと中間ガラス１ｂの３枚のガラスからなり、室内側ガラス１ａおよび室外側ガラス１ｃの上端部と下端部とは、それぞれ、中間ガラス１ｂの上端部および下端部よりも突出していて、それらの突出した部分にはそれぞれガスケット９が装着されており、室内側ガラス１ａおよび室外側ガラス１ｃの上端部と下端部とは、それぞれ、ガスケット９を介して下框３および上框２の室内側ガラス収納部３ａと室外側ガラス収納部３ｃに収納したので、上框２および下框３の見付け寸法をさらに小さくでき、この点でも、より断熱性能やデザイン性を向上させることができる。また、その点で複層ガラス障子１の中心と戸車８ｄの中心とをさらに一致させることが可能となり、複層ガラス障子１をより安定させた状態で室外側または室内側に傾けることなくバランス良く走行させることができる
【００３９】
また、実施形態１のサッシ１０では、図８等に示すように、上枠５と下枠６の室内側には、それぞれ、上框２と下框３を水平方向から見た際に隠れるように上框２の下端部と下框３の上端部まで延びた内壁部５２，６２とを設けたので、室内側から下框３や上框２が見え難くなり、室内側からサッシ全体を見た際の意匠性も向上させることができる。
【００４０】
実施形態２．
上記実施形態１では、下框３と上框２とはほぼ同じ断面形状で構成して説明したが、複層ガラス障子１を構成するガラスの枚数が増加した場合、下框３の前後幅が広くなると共に、ガラスの重量が増すので、下框３にかかる荷重が大きくなる。そのため、下框３の剛性が不十分になる虞がある。
【００４１】
そこで、実施形態２の複層ガラス障子１を構成する下框３’は、図１３および図１４に示すように、第１中間起立壁部３３’と第２中間起立壁部３５’との間に中間底板部３４’と平行に補強板部３８’を設ける。つまり、実施形態２の下框３’では、部品収納部３ｂ’に補強板部３８’を設けて、下框３’の剛性を向上させる。
【００４２】
そのため、実施形態２の下框３’では、下框３’の部品収納部３ｂ’に戸車８ｄを取付けるため、補強板部３８’における戸車８ｄの設置箇所には戸車設置孔（図示せず。）を設け、図１４に示すように補強板部３８’の戸車設置孔（図示せず。）に戸車８ｄを設置する。
【００４３】
従って、実施形態２の複層ガラス障子１によれば、実施形態１の複層ガラス障子１と同様に上框２と下框３’の見付け寸法を小さくして、断熱性能やデザイン性を向上させたり、複層ガラス障子１を傾けることなく走行きるだけでなく、下框３’の剛性を向上させることができる
【００４４】
尚、上記実施形態１，２の説明では、複層ガラス障子１は、３枚のガラス１ａ〜１ｃにより構成して説明したが、本発明では、これに限らず、２枚のガラスでも、さらには４枚以上のガラスでも構成しても良く、要は、複数枚のガラスで構成すれば良い。
【００４５】
また、図８に示す実施形態１のサッシ１０の上枠５と下枠６には、上框２と下框３を室内側の水平方向から見た際に隠れるように上框２の下端部と下框３の上端部まで延びた内壁部５２，６２とを設ける一方、下枠６の外壁部６３と仕切り壁部６４は、複層ガラス障子１のサッシ１０への建て込みを考慮して下枠６の内壁部６２より高さを低く構成したが、本発明では、これに限定されるものではない。つまり、例えば、図１５に示す下枠６’のように、図８に示す下枠６とは異なり、室外側の水平方向から見た際に下框３’が隠れるように下框３’の室外側の上端部まで延びた外壁部６３’と仕切り壁部６４’を設けても良いし、図８に示す上枠５とは異なり、室外側の水平方向から見た際に上框２が隠れるように上枠５の外壁部５３の下端部を上框２の下端部まで延ばすように構成しても勿論良い。
【００４６】
また、上記実施形態１，２の説明では、複層ガラス障子１を２枚使用した引き違い戸のサッシ１０により説明したが、本発明では、これに限らず、片引き戸を含むスライディングサッシ全般や、スイングサッシ等の開閉戸等の複層ガラス障子にも適用可能であると共に、複層ガラス障子１を３枚以上使用した引き戸や開閉戸等の各種サッシにも適用可能である。
【００４７】
また、上記実施形態１，２の説明では、複層ガラス障子１が左右方向に移動して開閉するサッシに適用したため、上框２と下框３にそれぞれ断面凹形状の室内側ガラス収納部２ａ，３ａおよび室外側ガラス収納部２ｃ，３ｃを設けると共に、その室内側ガラス収納部２ａ，３ａと室外側ガラス収納部２ｃ，３ｃとの間にそれらと逆方向に開放した断面凹形状の部品収納部２ｂ，３ｂを設けて説明したが、本発明では、これに限らず、本発明に係る複層ガラス障子が上下方向に移動して開閉するサッシに適用する場合、左右両側の縦框に上述の内側ガラス収納部および室外側ガラス収納部とそれらとは逆方向に開放した部品収納部を設けることになる。
【符号の説明】
【００４８】
１  複層ガラス障子
１ａ  室内側ガラス
１ｂ  中間ガラス
１ｃ  室外側ガラス
２  上框
２ａ  室内側ガラス収納部
２ｂ  部品収納部
２ｃ  室外側ガラス収納部
２１  室内側起立壁部
２２  室内側天板部
２３  第１中間起立壁部
２４  中間天板部
２５  第２中間起立壁部
２６  室外側天板部
２７  室外側起立壁部
３，３’  下框
３ａ，３ａ’  室内側ガラス収納部
３ｂ，３ｂ’  部品収納部
３ｃ，３ｃ’  室外側ガラス収納部
３１，３１’  室内側起立壁部
３２，３２’  室内側底板部
３３，３３’  第１中間起立壁部
３４，３４’  中間底板部
３５，３５’  第２中間起立壁部
３６，３６  室外側底板部
３７，３７’  室外側起立壁部
３８’  補強板部
４  縦框
５  上枠
５ａ  内側レーン
５ｂ  外側レーン
５１  天井板部
５２  内壁部
５３  外壁部
５４  仕切り壁部
５５  内ガイド片
５６  外ガイド片
５７  気密ゴム
５８  気密ゴム
６，６’  下枠
６ａ  内側レーン
６ｂ  外側レーン
６１  底板部
６２  内壁部
６３，６３’  外壁部
６４，６４’  仕切り壁部
６５  内レール
６６  外レール
６７  気密ゴム
６８  気密ゴム
７  縦枠
８ａ  スペーサー
８ｂ  封着シール
８ｃ  ライナー
８ｄ  戸車
８ｅ  振れ止め
８f  セッティングブロック
９  ガスケット
９１  外側起立部
９１ａ  凹条部
９２  端部当接部
９３  内側起立部
９３ａ  舌片部
９３ｂ  波形状部
１０  サッシ
【図１】
0006616074.tif 000002
【図２】
0006616074.tif 000003
【図３】
0006616074.tif 000004
【図４】
0006616074.tif 000005
【図５】
0006616074.tif 000006
【図６】
0006616074.tif 000007
【図７】
0006616074.tif 000008
【図８】
0006616074.tif 000009
【図９】
0006616074.tif 000010
【図１０】
0006616074.tif 000011
【図１１】
0006616074.tif 000012
【図１２】
0006616074.tif 000013
【図１３】
0006616074.tif 000014
【図１４】
0006616074.tif 000015
【図１５】
0006616074.tif 000016